(57)【特許請求の範囲】
【請求項１】
テープデッキに挿入されたテープの複数の使用モードを検知できるテープデッキユニットの駆動装置であって、
前記テープの前記テープデッキへの挿入方向、又は排出方向に移動可能であり、前記使用モードのうち、プレーモード以外の使用モードに対応する複数のスリット（３００−１〜３００−３）と、この複数のスリットと前記排出方向にある距離を隔てた切欠部（３００−４）を有するレバー（３００−０）と、
前記レバー（３００−０）のスリットの有無、切欠部の有無を検出する第１のフォトセンサ（４）と、
前記レバー（３００−０）と連動し、かつ前記使用モードのうちのプレーモードに対応するスリット（４００−１）と、このスリットに続く切欠部（４００−２）を有する連動レバー（４００−０）と、
前記連動レバー（４００−０）のスリットの有無、切欠部の有無を検出する第２のフォトセンサ（１０１）と、
前記第１のフォトセンサ（４）及び前記第２のフォトセンサ（１０１）の出力レベルの組み合わせを基に、個々の使用モードを確定する制御部（６）とを備え、
前記連動レバーに設けられた前記スリット（４００−１）は、前記レバーに設けられた前記スリット（３００−３）と前記切欠部（３００−４）の間の部分に対応する位置に設けられており、
前記連動レバーに設けられた前記切欠部（４００−２）は、前記レバーに設けられた前記切欠部（３００−４）に対応する位置に設けられていることを特徴とするテープデッキユニットの駆動装置。
【請求項２】
テープデッキに挿入されたテープの複数の使用モードを検知できるテープデッキユニットの駆動装置であって、
前記テープの前記テープデッキへの挿入方向、又は排出方向に移動可能であり、前記使用モードのうち、プレーモード以外の使用モードに対応する複数のスリット（３００−１〜３００−３）と、切欠部（３００−４）を有するレバー（３００−０）と、
前記レバー（３００−０）のスリットの有無、切欠部の有無を検出する第１のフォトセンサ（４）と、
前記レバー（３００−０）と連動し、かつ前記使用モードのうちのプレーモードに対応するスリット（４００−１）と、切欠部（４００−２）を有する連動レバー（４００−０）と、
前記連動レバー（４００−０）のスリットの有無、切欠部の有無を検出する第２のフォトセンサ（１０１）と、
前記第１のフォトセンサ（４）及び前記第２のフォトセンサ（１０１）の出力レベルの組み合わせを基に、個々の使用モードを確定する制御部（６）とを備え、
前記使用モードのうち、プレーモードについては、プレーモード以外の使用モードとは異なる前記第１のフォトセンサ及び前記第２のフォトセンサの出力レベルの組み合わせを有するように、前記プレーモードに対応するスリットと切欠部とが、前記連動レバーに設けられていることを特徴とするテープデッキユニットの駆動装置。
【請求項３】
前記制御部（６）は、電源投入時又はリセット時に前記使用モードの種類を特定した後に、前記テープをプレーモードにすることを特徴とする、請求項１又は２に記載のテープデッキユニットの駆動装置。
【発明の詳細な説明】
【０００１】
【産業上の利用分野】
本発明は車載用のテープデッキユニットの駆動装置に関し、特に本発明は、予め定められたテープ使用モードから現在テープの現在の使用モードを検知して、外部からの要求モードに円滑に移行するテープデッキユニットの駆動装置に関する。
【０００２】
【従来の技術】
図８は従来のテープデッキユニットの駆動装置を示す図である。本図に示すように、テープデッキの駆動装置には、使用モード、つまり、左方向、右方向へのプレーモード（ＰＬＡＹ−Ｌ、ＰＬＡＹ−Ｒ）、早送りモード（ＦＦ）、巻戻しモード（ＲＥＷ）、停止モード（ＳＴＯＰ）にするヘッダ駆動部１と、さらに、ヘッダ駆動部１の使用モードを検知するためにヘッダ駆動部１と連動するモード検知部２と、ヘッダ駆動部１とモード検知部２と駆動するモータ３と、モード検知部２に取り付けられ、かつ使用モードを検出するフォトセンサ４及びスイッチ５と、フォトセンサ４及びスイッチ５の情報を入力してメモリ７に記憶し、外部からの要求モードに対してモータを制御する制御部６とが設けられる。モード検知部２には、テープデッキへのテープの挿入方向（逆方向）及びデープの排出方向（正方向）に移動する後述するレバー２−０が設けられている。
【０００３】
図９は図８のモード検知部２を示す図である。本図に示すように、モード検知部２は、レバー２−０からなり、このレバー２−０には正方向に複数のスリット２−１、２−２、２−３、２−４、２−５が設けられる。フォトセンサ４は、光の通過によりスリットの有無を検出するための発光部４−１と、受光部４−２を有する。このフォトセンサ４は、各スリットの位置にくると、「Ｌ（ｌｏｗ）」信号を出力し、それ以外では「Ｈ（ｈｉｇｈ）  」信号を出力する。スイッチ５は、バネ構造でレバー２−０の下端部の押圧により電気的開閉を行い、押圧されると「Ｌ」信号を出力し、押圧が解除されると「Ｈ」信号を出力する。
【０００４】
図１０は図８のフォトセンサ４及びスイッチ５の出力波形を示す図であり、図１１はテープデッキ８からテープ７を排出する例を示す図である。
図１１に示すように、テープ７がテープデッキ８から排出される場合に、図１０（ａ）に示すように、スイッチ５が押圧され「Ｌ」信号を出力して排出モードが形成される。逆に「Ｈ」信号を出力しているときは、テープ７がテープデッキ８に挿入されている挿入モードが形成される。
【０００５】
さらに、図１０（ｂ）に示すように、フォトセンサ４がスリット２−１の位置にあるとヘッダ駆動部１が停止モードにあることを示し、同様に、スリット２−２の位置にあると巻戻しモードにあることを示し、スリット２−３の位置にあると早送りモードにあることを示し、スリット２−４位置にあると左方向のプレーモードにあることを示し、スリット２−５位置にあると右方向のプレーモードにあることを示す。
【０００６】
制御部６は、このように予め使用モードが、スリットの位置を基に、明らかなので、現在の使用モードのスリット位置から要求使用モードのスリット位置にモータ３を駆動して移行することが可能となる。
【０００７】
【発明が解決しようとする課題】
ところで、上記テープデッキユニットの駆動装置では、テープがテープデッキに挿入されている状態での電源投入時には、又はテープデッキユニットの異常時のリセット時には、制御部６のメモリ７には現在の使用モードのスリット位置が記憶されていないので判断できないため、図９に示すように、とりあえずテープを排出動作し、排出完了状態にして、移行のための初期位置を確定している。
【０００８】
しかしながら、この場合には、折角テープがテープデッキに挿入されているのに、テープデッキの都合によりテープを排出し、さらに、ユーザの挿入操作により挿入モードにわざわざする必要があり、無駄な時間がかかるという問題がある。
また、使用時だけでなく、製造時にも、車載用としてテープデッキユニットを車両に最初に搭載するときにも、同様にテープの排出動作が生じ、工程上煩雑となる。
【０００９】
図１２はテープデッキからテープを排出する別の例を示す図である。本図（ａ）に示すように、テープデッキ８の前に液晶の表示画面９が付いているものがある。この場合には、テープデッキ８が排出モードになると、液晶の表示画面９が、本図（ｂ）に示すように、横にスライドして、テープ７が排出される。このため、テープ７をユーザが挿入操作し、表示画面９を元に戻す必要がある。このようにテープデッキ８が異常等によりリセットされる毎に液晶画面９が移動するのでは煩雑であるという問題がある。なお、液晶画面９に代わり、巨大な扉であったり、さらに操作パネルであったりする場合がある。
【００１０】
したがって、本発明は、上記問題点に鑑み、テープがテープデッキに挿入状態にある場合に、電源投入がされたときには、テープをテープデッキから排出せずとも他の使用モードに移行できるテープデッキユニットの駆動装置を提供することを目的とする。
【００１１】
【課題を解決するための手段】
前記問題点を解決する本発明は、テープデッキに挿入されたテープの複数の使用モードを検知できるテープデッキユニットの駆動装置であって、テープのテープデッキへの挿入方向、又は排出方向に移動可能であり、使用モードのうち、プレーモード以外の使用モードに対応する複数のスリットと、この複数のスリットと排出方向にある距離を隔てた切欠部を有するレバーと、レバーのスリットの有無、切欠部の有無を検出する第１のフォトセンサと、レバーと連動し、かつ使用モードのうちのプレーモードに対応するスリットと、このスリットに続く切欠部を有する連動レバーと、連動レバーのスリットの有無、切欠部の有無を検出する第２のフォトセンサと、第１のフォトセンサ及び第２のフォトセンサの出力レベルの組み合わせを基に、個々の使用モードを確定する制御部とを備え、連動レバーに設けられたスリットは、レバーに設けられたスリットと切欠部の間の部分に対応する位置に設けられており、連動レバーに設けられた切欠部は、レバーに設けられた切欠部に対応する位置に設けられていることを特徴としている。
【００１２】
前記問題点を解決する本発明は、テープデッキに挿入されたテープの複数の使用モードを検知できるテープデッキユニットの駆動装置であって、テープのテープデッキへの挿入方向、又は排出方向に移動可能であり、使用モードのうち、プレーモード以外の使用モードに対応する複数のスリットと、切欠部を有するレバーと、レバーのスリットの有無、切欠部の有無を検出する第１のフォトセンサと、レバーと連動し、かつ使用モードのうちのプレーモードに対応するスリットと、切欠部を有する連動レバーと、連動レバーのスリットの有無、切欠部の有無を検出する第２のフォトセンサと、第１のフォトセンサ及び第２のフォトセンサの出力レベルの組み合わせを基に、個々の使用モードを確定する制御部とを備え、使用モードのうち、プレーモードについては、プレーモード以外の使用モードとは異なる第１のフォトセンサ及び第２のフォトセンサの出力レベルの組み合わせを有するように、プレーモードに対応するスリットと切欠部とが、連動レバーに設けられていることを特徴としている。
【００１３】
制御部は、電源投入時又はリセット時に使用モードの種類を特定した後に、テープをプレーモードにしてもよい。
【００１４】
【作用】
本発明のテープデッキユニットの駆動装置によれば、電源投入時又はリセット時にレバー及び連動レバーが移動されて、第２のフォトセンサの出力レベルが変化しこの変化を基に、第１のレバーのスリット位置を確定する。このため、電源投入時、テープを排出完了としなくても、第１のフォトセンサ及び第２のフォトセンサの出力レベルの組み合わせを基に、個々の使用モードを確定することができ、テープが入ったまま、電源投入しても、直ちにテープをプレーさせることができる。
【００１５】
これは、連動レバーに設けられたスリットは、レバーに設けられたスリットと切欠部の間の部分に対応する位置に設けられており、連動レバーに設けられた切欠部は、レバーに設けられた切欠部に対応する位置に設けられているからである。
【００１６】
前記制御部は、電源投入時又はリセット時にスリット位置を確定した後にテープをプレーモードにすることにより、電源投入時又リセット時に自動でプレーモードとなるので、ユーザの操作が不要となり、短時間で音声出力が可能になる。
【００１７】
【実施例】
以下本発明の実施例について図面を参照して説明する。
図１は本発明の実施例に係るテープデッキユニットの駆動装置を示す図である。本図において、図８の構成と異なるのは、レバー２−０とこれに連動するレバー１００−１を有するモード検知部２００と、レバー１００−１用のフォトセンサ１０１とが設けられている点である。フォトセンサ１０１には図２に示すように発光部１０１−１、受光部１０１−２が設けられている。
【００１８】
図２は図１のモード検知部２００を示す図である。本図の左側のレバー構造は、図９の構造と同一であるが、本図の右側のレバー１００−０は、レバー２−０と連動して移動する。レバー１００−０には、レバー２−０のスリット２−１、２−２、２−３、２−４、２−５位置に対応する部分に切欠部１００−１が設けられ、さらに、レバー２−０のスリット２−５の位置よりも正方向側に対応する位置に確定位置発生部１００−２が設けられる。切欠部１００−１はフォトセンサ１０１の光を通過させ、確定位置発生部１００−２はフォトセンサ１０１の光を遮断する。この確定位置発生部１００−２により、これ以上の正方向にはスリットがないことを示すものであり、このためスリット位置が確定する。
【００１９】
なお、切欠部１００−１と確定位置発生部１００−２とを逆にして光の通過、遮断を逆にするような構造にしてもよい。
図３は図２のフォトセンサ４、１０１、スイッチ５の出力波形を示す図である。本図（ａ）、（ｂ）は図１０の（ａ）、（ｂ）と同様であり、本図（ｃ）は、テープがテープデッキに完全に挿入されたときにフォトセンサ１０１の出力が「Ｌ」から「Ｈ」に変化することを示しており、この点を変化点と呼ぶ。この変化点の位置とレバー２−０のスリット２−１、２−２、２−３、２−４、２−５位置との関係を予め定めておく。すなわち、この変化点の逆方向側に全てのスリットがあるので、レバー２−０を逆方向に移動して行くと、フォトセンサ４により「Ｌ」信号が検出される順番にスリット２−５、２−４、２−３、２−２、２−１の位置が確定して行く。
【００２０】
したがって、本実施例によれば、電源投入時には、レバー１００−０をテープをテープデッキに挿入する方向（逆方向）に移動して、レバー１００−０の確定位置発生部１００−２を検出することにより、レバー２−０の各スリットの位置が確定できる。このため、電源投入時、テープを排出完了としなくても、テープの使用モードが確定でき、テープが入ったまま、電源投入しても、排出しないため、テープ挿入口の前に巨大な扉、液晶の表示画面、操作パネル等があってもこれを前もって開く必要がなくなる。
【００２１】
図４は図２のモード検知部２００の変形例を示す図である。本図の左側に示すように、レバー３００−０には正方向にスリット３００−１、３００−２、３００−３が設けられ、さらにこれらのスリットの正方向側にテープの使用モードの位置を確定するための確定位置切欠部３００−４が設けられる。この場合、フォトセンサ４がスリット３００−１の位置にあるとヘッダ駆動部１が停止モードにあることを示し、同様に、スリット３００−２の位置にあると巻戻しモードにあることを示し、スリット３００−３の位置にあると早送りモードにあることを示す。フォトセンサ４が確定位置切欠部３００−４にあると、レバー３００−０には正方向にスリットがないことを示す。
【００２２】
本図の右側に示すように、レバー４００−０には、レバー３００−０のスリット３００−３の位置よりも正方向側にスリット４００−１が設けられ、このスリット４００−１の正方向側にテープの使用モードの位置を確定するための確定位置切欠部４００−２が設けられる。この場合、フォトセンサ１０１がスリット４００−１の位置にあると左方向のプレーモードにあることを示し、確定位置切欠部４００−２にあると右方向のプレーモードにあることを示す。フォトセンサ１０１が確定位置切欠部４００−２にあると、レバー４００−０には正方向にはスリットがないこと示す。
【００２３】
図５は図４のフォトセンサ４、１０１、スイッチ５の出力波形を示す図である。本図に示すように、レバー３００−０、４００−０を逆方向に移動すると、ある時点から双方の切欠３００−４、４００−２によりフォトセンサ４、１０１の双方の出力信号が「Ｌ」となる。レバー３００−０、４００−０がテープデッキにこれ以上挿入されてもスリットがないので、この状態から逆にレバー３００−０、４００−０を正方向に移動すれば、フォトセンサ１０１により「Ｈ」から変化した最初の「Ｌ」信号が検出されるとスリット４００−１の位置が確定する。さらにレバー３００−０，４００−０を正方向に移動することによりフォトセンサ４の「Ｌ」信号により順番にスリット３００−３、３００−２、３００−１の位置が確定して行く。
したがって、本実施例によれば、電源投入時には、レバー３００−０，４００−０をテープをテープデッキに挿入する方向（逆方向）に移動して、レバー３００−０の確定位置切欠部３００−４、レバー４００−０の確定位置切欠部４００−２を同時に検出することにより、レバー３００−０、４００−０の各スリットの位置が確定できる。このため、電源投入時、テープを排出完了としなくても、テープの使用モードを確定でき、テープが入ったまま、電源投入しても、排出しないため、テープ挿入口の前に巨大な扉、液晶の表示画面、操作パネル等があってもこれを前もって開く必要がなくなる。
【００２４】
図６は図４のモード検知部２００の変形例を示す図である。図６が図４と異なる点は、本図の左側に示すように、図４の確定位置切欠部３００−４がないことである。
図７は図６のフォトセンサ４、１０１、スイッチ５の出力波形を示す図である。本図に示すように、フォトセンサ４は、テープが挿入され、レバー２００−０，４００−０の停止モード、巻戻しモード、早送りモードのスリット位置がフォトセンサ４の前を通過すると、それからは「Ｈ」信号を出力する。
【００２５】
したがって、本実施例によれば、電源投入時のフォトセンサ１０１の出力の信号のレベルにより制御部６の動作が以下のように異なる。
フォトセンサ１０１の出力信号が「Ｈ」の場合には、フォセンサ１０１の出力信号が「Ｌ」となるまで、レバー３００−０，４００−０をテープの挿入方向に移動する。この「Ｌ」を検知すると、フォトセンサ４の出力信号が「Ｌ」となるまでレバー３００−０，４００−０をテープの排出方向に移動する。この「Ｌ」を検知することにより、早送りモードのスリット位置が確定する。
【００２６】
フォトセンサ１０１の出力信号が「Ｌ」の場合には、フォトセンサ４の出力信号が「Ｌ」となるまでレバー３００−０，４００−０をテープを排出する方向に移動する。この「Ｌ」を検出することにより、早送りモードのスリット位置が確定する。
このため、電源投入時、テープを排出完了としなくても、テープの使用モードを確定でき、テープが入ったまま、電源投入しても、排出しないため、テープ挿入口の前に巨大な扉、液晶の表示画面、操作パネル等があってもこれを前もって開く必要がなくなる。
【００２７】
さらに、制御部６は、前述のようにテープの使用モードを確定させた後、目標とするプレー方向へレバーを移動させ、プレー状態にする。このため、テープがテープデッキに入ったまま電源投入した場合、すぐに自動でプレーするため、ユーザにとって操作が不要となり、短時間で音声出力が可能になる。
【００２８】
【発明の効果】
以上説明したように本発明によれば、電源投入時又はリセット時にレバー及び連動レバーが移動されて、第２のフォトセンサの出力レベルが変化しこの変化を基に、第１のレバーのスリット位置を確定する。このため、電源投入時、テープを排出完了としなくても、第１のフォトセンサ及び第２のフォトセンサの出力レベルの組み合わせを基に、個々の使用モードを確定することができ、テープが入ったまま、電源投入しても、直ちにテープをプレーさせることができる。即ち、電源投入時又はリセット時にスリット位置を確定した後にテープをプレーモードにするので、自動でプレーモードとなるので、ユーザの操作が不要となり、短時間で音声出力が可能になる。
【図面の簡単な説明】
【図１】本発明の実施例に係るテープデッキユニットの駆動装置を示す図である。
【図２】図１のモード検知部２００を示す図である。
【図３】図２のフォトセンサ４、１０１、スイッチ５の出力波形を示す図である。
【図４】図２のモード検知部２００の変形例を示す図である。
【図５】図４のフォトセンサ４、１０１、スイッチ５の出力波形を示す図である。
【図６】図４のモード検知部２００の変形例を示す図である。
【図７】図６のフォトセンサ４、１０１、スイッチ５の出力波形を示す図である。
【図８】従来のテープデッキユニットの駆動装置を示す図である。
【図９】図８のモード検知部２を示す図である。
【図１０】図８のフォトセンサ４及びスイッチ５の出力波形を示す図である。
【図１１】テープデッキからテープを排出する例を示す図である。
【図１２】テープデッキからテープを排出する別の例を示す図である。
【符号の説明】
２−０、１００−１、３００−０、４００−０…レバー
４、１０１…フォトセンサ
６…制御部
【図１】
0003578492.tif 000002
【図２】
0003578492.tif 000003
【図３】
0003578492.tif 000004
【図４】
0003578492.tif 000005
【図５】
0003578492.tif 000006
【図６】
0003578492.tif 000007
【図７】
0003578492.tif 000008
【図８】
0003578492.tif 000009
【図９】
0003578492.tif 000010
【図１０】
0003578492.tif 000011
【図１１】
0003578492.tif 000012
【図１２】
0003578492.tif 000013